(57)【要約】【課題】  駆動回路の端子とＦＰＣの端子間を接続する配線領域を確保して良好な配線を形成すると共に表示装置の小型化を図る。【解決手段】  表示駆動に関係する機能を有する複数の第１端子２０ａが表示駆動回路２０Ａの長辺近傍位置で長辺方向に沿って第１領域２２に配置され、テスト端子などのように表示駆動に関係する機能を有さない複数の第２端子２０ｂをそれ以外の短辺近傍位置に配置する。第１領域２２には第２端子２０ｂが設けられていないため、ＦＰＣ３０ＡにＤＵＭＭＹ端子３０ｂを設けなくても、第１端子２０ａとＦＰＣ３０Ａの端子３０ａとを接続するための配線領域を確保して良好な配線２１を形成することができる。【選択図】 図１
2006106132.tif 000002
【特許請求の範囲】
【請求項１】
絶縁性基板の主面上に搭載され、
表示駆動に関係する機能を有する複数の第１端子と、該表示駆動に関係する機能を有さない複数の第２端子とを有し、
該第１端子のみが配置される第１領域と、
該第１端子および第２端子のうち、少なくとも該第２端子が配置される第２領域とを有する表示駆動回路。
【請求項２】
前記第１端子は、電源端子と、該絶縁性基板の外部に設けられる回路に信号を入出力させるための端子と、表示駆動回路内に含まれるブロック間を電気的に接続するための端子とのうちの少なくとも該絶縁性基板の外部に設けられる回路に信号を入出力させるための端子を有し、
前記第２端子は、製造時に検査のために用いられるテスト端子を有する請求項１に記載の表示駆動回路。
【請求項３】
前記第１端子がフレキシブルプリント配線基板の端子と配線を介して接続されるように連続して配置されている請求項１または２に記載の表示駆動回路。
【請求項４】
回路外形が長方形状であって、
前記第１領域が回路長辺側近傍位置に長辺方向に沿って配置され、
前記第２領域が回路短辺側近傍位置に短辺方向に沿って配置されている請求項１〜３のいずれかに記載の表示駆動回路。
【請求項５】
前記第２領域が回路両側または片側の短辺近傍位置に短辺方向に沿って配置されている請求項４に記載の表示駆動回路。
【請求項６】
前記第１領域が回路外周縁近傍位置に長辺方向に沿って配置され、
前記第２領域が該第１領域よりも回路中心側に配置されている請求項１〜３のいずれかに記載の表示駆動回路。
【請求項７】
前記第１領域と第２領域とが回路長辺側近傍位置に２列に長辺方向に沿って配置されている請求項６に記載の表示駆動回路。
【請求項８】
前記第１領域が回路外周縁近傍位置に長辺方向に沿って配置され、
前記第２領域が、該回路外周縁近傍位置にあって、該第１領域の長手方向に隣接する領域に配置されている請求項１〜３のいずれかに記載の表示駆動回路。
【請求項９】
前記第２領域は、回路長辺側近傍位置に長辺方向に沿って配置された前記第１領域の両端位置または片端位置に隣接して一列に配置されている請求項８に記載の表示駆動回路。
【請求項１０】
前記第１端子はドライバ入力端子である請求項１に記載の表示駆動回路。
【請求項１１】
表示媒体を挟んで対向配置される一対の絶縁性基板における一方上の周辺部に、請求項１〜１０のいずれかに記載の表示駆動回路が搭載され、該表示駆動回路から表示領域を表示駆動する駆動信号が供給されて表示可能とされている表示装置。
【発明の詳細な説明】
【技術分野】
【０００１】
本発明は、多機能化に伴って信号の入出力が必要とされる入出力端子数が多くなり、入出力端子が高密度化される傾向にある例えば携帯電話装置の表示部などに用いられる小型の液晶表示装置などの表示装置、およびこの表示装置の表示領域を表示駆動するために表示装置を構成する絶縁性基板上に例えばＣＯＧ（チップ・オン・グラス）実装される表示駆動回路に関する。
【背景技術】
【０００２】
近年、携帯電話装置などの携帯用電子機器の表示部には、消費電力が少ない液晶表示装置が用いられている。
【０００３】
この液晶表示装置は、一対のガラス基板の間に表示媒体として液晶層が挟持され、両基板に設けられた電極間に電圧を印加して液晶層内の液晶分子の配向状態を変化させることにより液晶層に入射される光の透過・散乱状態を変化させて、文字・図形などを表示画面上に表示させるものである。この液晶表示装置において、両基板に設けられた各電極に電圧を印加して表示媒体を駆動させるために、一方のガラス基板上に表示駆動回路（駆動用ＩＣ）をＣＯＧ実装する技術が従来から用いられている。
【０００４】
ところで、携帯電話装置では、その多機能化および信号の多入出力化に伴って、液晶表示装置の表示駆動回路に接続されるＦＰＣ（フレキシブルプリント配線基板）の端子数も増加する傾向にある。その一方で、携帯用電子機器に用いられる液晶表示装置は、２型前後の小型モジュールが多いため、表示駆動回路に接続されるＦＰＣの外形を小さく設計する必要性がある。
【０００５】
このような従来の表示駆動回路には、表示駆動回路から表示領域に各信号を出力させるための各端子、および、表示駆動に関係する機能を有する各端子として、表示駆動回路の電源端子、表示領域から表示駆動回路に信号を入力させるための端子、表示駆動回路からガラス基板の外部に設けられたＦＰＣ（フレキシブルプリント配線基板）などの回路に信号を入出力させるための各端子などが設けられている。また、表示駆動に関係する各端子には、表示駆動回路に含まれるブロック同士を電気的に接続するための端子が含まれている。
【０００６】
さらに、表示駆動回路には、表示駆動に関係する機能を有さない端子として、検査用のテスト端子なども含まれている。このテスト端子は、表示駆動回路の製造時に各種検査のために信号を内部回路に入出力し、表示駆動回路をＣＯＧ実装させた後には信号の入出力動作が行われない端子であり、いわゆるダミー端子とは異なる種類の端子である。
【０００７】
従来の液晶表示装置において、表示駆動回路は、その製造過程で使用される上記テスト端子が、その他の入出力を必要とする端子と同様に配列されている。以下に、この従来の液晶表示装置における端子配置について、図７（ａ）および図７（ｂ）を用いて詳細に説明する。
【０００８】
図７（ａ）は、従来の液晶表示装置の概略構成例を示す上面図であり、図７（ｂ）は、図７（ａ）に丸で囲んだ部分の拡大図である。
【０００９】
図７（ａ）に示すように、液晶表示装置１は、液晶層を挟んで対向配置されて表示領域が形成される一対の基板１０ａおよび１０ｂのうち、一方の基板１０ａの外周縁部（ここでは下側部）上に表示駆動回路２０（ドライバ）がＣＯＧ実装されており、その基板１０ａの更に下端縁部には、表示駆動回路２０に信号を入出力させるためのＦＰＣ３０（フレキシブルプリント配線基板）が接続されている。表示駆動回路２０は、回路外形が長方形状であって、その長辺部近傍位置に長辺に沿って各端子が一列に並んで配設されている。
【００１０】
図７（ｂ）に示すように、表示駆動回路２０の長辺側近傍位置には、配線２１によってＦＰＣ３０の端子３０ａと電気的に接続される端子２０ａ（第１端子２０ａ）と共に、テスト端子などの端子（第２端子２０ｂ）ようにＦＰＣ３０から信号が入出力されない端子も混在して配置されている。
【００１１】
このように、表示駆動回路２０の第１端子２０ａ，２０ａ間において、テスト端子などの第２端子２０ｂとして、信号入出力が必要とされない各端子が設けられている領域Ｃが存在する。このため、端子２０ａと端子３０ａとを接続する配線２１を設ける領域を確保するように、ＦＰＣ３０にはＤＵＭＭＹ（ダミー）端子３０ｂが配置されている。
【００１２】
ＣＯＧ実装された表示駆動回路２０では、第１端子２０ａとＦＰＣ３０の端子３０ａとを接続する配線２１として、例えば、表示領域に設けられるトランジスタの一部を構成するＴａ膜をパターニングしたものが用いられる。このＴａ膜は、ＬＳＩチップを耐熱性フィルムに搭載して樹脂封止したパッケージであるＴＣＰ（Ｔａｐｅ  Ｃａｒｒｉｅｒ  Ｐａｃｋａｇｅ）に用いられる比較的膜厚が厚い銅配線などに比べて膜厚が薄いため配線抵抗が大きくなるという問題が生じ易い。よって、ＦＰＣ３０にＤＵＭＭＹ端子３０ｂを配置する領域Ｄを設けることによって配線領域を確保すると共に、第１端子２０ａの形成領域とＦＰＣ３０の端子３０ａの形成領域とを近付けて配線２１を短くし、できるだけ配線抵抗が小さくなるように設計されている。
【００１３】
このような従来の液晶表示装置１の表示駆動回路２０との端子配置例が例えば特許文献１，２に示されている。
【００１４】
特許文献１では、表示領域のセグメント電極やコモン電極に電圧出力するためのセグメント駆動電圧出力端子やコモン駆動電圧出力端子が表示駆動回路の長辺部に沿って設けられ、内部回路と接続されていないダミー端子が表示駆動回路の短辺部に沿って設けられて、ダミー端子を静電破壊から保護する保護手段がダミー端子に設けられている。
【００１５】
特許文献１によれば、セグメント駆動電圧出力端子とコモン駆動電圧出力端子を表示駆動回路の長辺に沿って配列され、ダミー端子が短辺部に沿って配設されることで、表示駆動回路（半導体チップ）の幅を小さくすることができると記載されている。また、ダミー端子に保護手段を設けることによって、半導体基板がＣＯＧ実装やＦＰＣへの実装などでフェイスダウン実装されても、配線にダミー端子が接触して静電破壊されないため、一つのチップで複数の配線パターンのバリエーションに対応できると記載されている。
【００１６】
特許文献２では、表示駆動回路を構成するドライバＩＣの長辺方向に沿って設けられ、長辺方向と直交する方向に長さＬ１の複数の第１端子が設けられている。また、ドライバＩＣの短辺方向に沿って設けられ、長辺方向に長さＬ１よりも長い長さＬ２の複数の第２端子が設けられている。
【００１７】
この特許文献２によれば、狭いピッチで端子が配置される表示駆動回路を基板上に搭載する際に、短辺方向に沿って高密度に配置される端子の位置合わせに余裕を持たせることができると記載されている。
【特許文献１】特開２００１−９４０５３号公報
【特許文献２】特開２００３−２８９０８６号公報
【発明の開示】
【発明が解決しようとする課題】
【００１８】
図７の上記従来の構成では、表示駆動回路２０の第１端子２０ａ，２０ａ間に、テスト端子などの第２端子２０ｂとして、信号入出力が必要とされない端子が設けられている端子群配置領域Ｃが存在する。このため、表示駆動回路２０の第１端子２０ａとＦＰＣ３０の端子３０ａとをより短く接続する配線２１を設ける領域を確保するために、ＦＰＣ３０の端子３０ａ，３０ａ間に複数のＤＵＭＭＹ（ダミー）端子３０ｂを配置している。
【００１９】
しかしながら、ＦＰＣ３０に複数のＤＵＭＭＹ（ダミー）端子３０ｂを設けることは、ＦＰＣ３０の外形Ａを大きくすることになり、コスト的にも不利になる。この複数のＤＵＭＭＹ（ダミー）端子３０ｂによって、液晶表示装置１またはその周辺部分が大きくなり、小型化が要求される携帯用電子機器にこの端子配置例は適さない。
【００２０】
特許文献１では、表示駆動回路の長辺部にセグメント駆動電圧出力端子とコモン駆動電圧出力端子とが配列され、かつダミー端子が短辺部に配設されて、表示駆動回路の幅を縮小化しているが、ＣＯＧ実装状態を良好にするためのダミー端子の配置については考慮されているが、表示駆動回路に設けられているテスト端子などのような信号入出力が必要とされない端子については考慮されていない。また、ガラス基板の外部に設けられるＦＰＣの端子と表示駆動回路の端子との接続についても考慮されていない。
【００２１】
特許文献２では、表示駆動回路の長辺方向と短辺方向に配置される各端子が記載されているが、これは、狭いピッチで端子が高密度に配置された表示駆動回路を基板上に搭載する際に、端子の位置合わせに余裕を持たせるため、端子がその短辺方向に沿って配置されるもので、ガラス基板の外部に設けられるＦＰＣの小型化を図るためのものではない。
【００２２】
本発明は、上記従来の問題を解決するもので、小型化を容易に図ると共に、端子間を接続する配線領域を確保して、より良好な配線を形成できる表示駆動回路およびこれを用いた表示装置を提供することを目的とする。
【課題を解決するための手段】
【００２３】
本発明の表示駆動回路は、絶縁性基板の主面上に搭載され、表示駆動に関係する機能を有する複数の第１端子と、該表示駆動に関係する機能を有さない複数の第２端子とを有し、 該第１端子のみが配置される第１領域と、該第１端子および第２端子のうち、少なくとも該第２端子が配置される第２領域とを有するものであり、そのことにより上記目的が達成される。
【００２４】
また、好ましくは、本発明の表示駆動回路における第１端子は、前記絶縁性基板上に設けられた表示領域に信号を入出力させるための端子と、電源端子と、該絶縁性基板の外部に設けられる回路に信号を入出力させるための端子と、表示駆動回路内に含まれるブロック間を電気的に接続するための端子とのうちの少なくとも該絶縁性基板の外部に設けられる回路に信号を入出力させるための端子を有し、前記第２端子は、製造時に検査のために用いられるテスト端子を有する。また、好ましくは、本発明の表示駆動回路における第１端子は、電源端子と、該絶縁性基板の外部に設けられる回路に信号を入出力させるための端子と、表示駆動回路内に含まれるブロック間を電気的に接続するための端子とのうちの少なくとも該絶縁性基板の外部に設けられる回路に信号を入出力させるための端子を有し、前記第２端子は、製造時に検査のために用いられるテスト端子を有する。
【００２５】
さらに、好ましくは、本発明の表示駆動回路における第１端子がフレキシブルプリント配線基板の端子と配線を介して接続されるように連続して配置されている。
【００２６】
さらに、好ましくは、本発明の表示駆動回路における回路外形が長方形状であって、  前記第１領域が回路長辺側近傍位置に長辺方向に沿って配置され、前記第２領域が回路短辺側近傍位置に短辺方向に沿って配置されている。
【００２７】
さらに、好ましくは、本発明の表示駆動回路における第２領域が回路両側または片側の短辺近傍位置に短辺方向に沿って配置されている。
【００２８】
さらに、好ましくは、本発明の表示駆動回路における第１領域が回路外周縁近傍位置に長辺方向に沿って配置され、前記第２領域が該第１領域よりも回路中心側に配置されている。
【００２９】
さらに、好ましくは、本発明の表示駆動回路における第１領域と第２領域とが回路長辺側近傍位置に２列に長辺方向に沿って配置されている。
【００３０】
さらに、好ましくは、本発明の表示駆動回路において、前記第１領域が回路外周縁近傍位置に長辺方向に沿って配置され、前記第２領域が、該回路外周縁近傍位置にあって、該第１領域の長手方向に隣接する領域に配置されている。
【００３１】
さらに、好ましくは、本発明の表示駆動回路における第２領域は、回路長辺側近傍位置に長辺方向に沿って配置された前記第１領域の両端位置または片端位置に隣接して一列に配置されている。
【００３２】
さらに、好ましくは、本発明の表示駆動回路における第１端子はドライバ入力端子である。
【００３３】
本発明の表示装置は、表示媒体を挟んで対向配置される一対の絶縁性基板における一方上の周辺部に、請求項１〜９のいずれかに記載の表示駆動回路が搭載され、該表示駆動回路から表示領域を表示駆動する駆動信号が供給されて表示可能としており、そのことにより上記目的が達成される。
【００３４】
上記構成により、以下に、本発明の作用について説明する。
【００３５】
本発明にあっては、表示駆動に関係する機能を有する複数の第１端子と、表示駆動に関係する機能を有さない複数の第２端子とが配置されている表示駆動回路において、第１端子のみが配置される第１領域と、少なくとも第２端子が配置される（第１端子が含まれていてもよい）第２領域とが設けられている。
【００３６】
従来のように、第１端子と第２端子とが同じ領域に存在していると、第１端子とＦＰＣの端子とを接続するための配線領域を確保するために、ＤＵＭＭＹ端子を設ける領域が必要となり、ＦＰＣが大きくなって装置の小型化を図ることができない。
【００３７】
これに対して、本発明では、第１領域では第２端子が設けられていないため、ＦＰＣにＤＵＭＭＹ端子を設けなくても、第１端子とＦＰＣの端子とを接続するための配線領域を確保して良好な配線を形成することができる。ＤＵＭＭＹ端子を設けなくてもよいため、ＦＰＣの外形を小型化させることが可能となり、また、第２端子を第１端子が配置される第１領域とは異なる第２領域に配置することによって、表示駆動回路の外形を小型化することが可能となる。これにより、低コストで小型化された表示装置を実現することができる。
【００３８】
さらに、表示領域が設けられたガラス基板などの絶縁性基板上に表示駆動回路をＣＯＧ実装させた液晶表示装置などの表示装置において、表示駆動回路の第１端子とＦＰＣの端子とを接続する配線として、例えば、表示領域に設けられるトランジスタの一部を構成するＴａ膜をパターニングしたものが用いられるが、このＴａ膜は、ＴＣＰやＴＡＢ（タブ）にチップが搭載された場合に用いられる比較的膜厚が厚い銅配線などに比べて、配線長が長くなることにより配線抵抗が大きくなるという問題が生じ易い。
【００３９】
これに対して、本発明によれば、第１領域では第２端子が設けられていないため、ＦＰＣにＤＵＭＭＹ端子を配置する領域を設けなくても、第１端子の形成領域とＦＰＣの端子の形成領域とを近付けて、第１端子とＦＰＣの端子とを接続する配線を短くすることにより、配線抵抗が小さくして良好な配線を形成することが可能となる。
【００４０】
表示駆動に関係する機能を有する第１端子としては、例えば表示駆動回路の電源端子、表示領域から表示駆動回路に信号を入力させるための端子、表示駆動回路からガラス基板の外部に設けられる回路に信号を入出力させるための端子などが挙げられる。また、表示駆動に関係する第１端子には、表示駆動回路に含まれるブロック同士を電気的に接続するための端子も含まれる。
【００４１】
また、表示駆動に関係する機能を有さない第２端子としては、表示駆動回路（ドライバ）の製造時に使用される検査用のテスト端子などが挙げられる。このテスト端子は、表示駆動回路をＣＯＧ実装した後にはＦＰＣの端子への信号入出力が必要とされない端子であるが、実装状態を良好にするために設けられるＤＵＭＭＹ（ダミー）端子とは異なる端子である。
【発明の効果】
【００４２】
以上説明したように、本発明によれば、表示駆動に関係する機能を有さない第２端子を駆動に関係する機能を有する第１端子が配置される第１領域とは異なる第２領域に配置することによって、ＦＰＣにＤＵＭＭＹ端子を設けなくても、表示駆動回路の端子とＦＰＣの端子とを接続するための配線領域を確保して、配線が短く配線抵抗が小さい良好な配線を形成すると共に、ＦＰＣの外形を小型化させることが可能となる。また、第１領域と第２領域とを設けることにより、表示駆動回路の外形を小型化させることが可能となる。これにより、低コストで小型化された表示装置を実現することができる。
【発明を実施するための最良の形態】
【００４３】
以下に、本発明の表示駆動回路を用いた表示装置の実施形態１〜３を液晶表示装置に適用した場合について、図面を参照しながら詳細に説明する。
（実施形態１） 
図１は、本発明の液晶表示装置の実施形態１における端子領域を示す上面図である。なお、ここでは、図７（ａ）の部材と同様の機能を有する部材には同様の番号を付して説明する。
【００４４】
図１に示すように、本実施形態１の液晶表示装置１Ａは、液晶層を挟んで対向配置される一対の基板１０ａおよび１０ｂのうち、一方の基板１０ａの外周縁部（ここでは下側部）に表示駆動回路（ドライバ）２０ＡがＣＯＧ実装されており、基板１０ａの更にその下の下端縁部に表示駆動回路２０Ａに信号を入出力させるためのＦＰＣ３０Ａが接続されている。
【００４５】
表示駆動回路２０Ａは、回路外形（ＩＣチップの平面視外形）が長方形状であって、そのＦＰＣ３０Ａ側の長辺近傍位置に、表示領域の駆動に関係する機能を有する複数の第１端子が配置された第１領域２２が設けられている。また、表示駆動回路２０Ａの短辺近傍位置には、表示領域の駆動に関係する機能を有さない複数の第２端子が配置された第２領域２３が設けられている。さらに、表示駆動回路２０Ａの表示領域側の長辺近傍位置には、表示領域に信号を出力する出力端子が配置された出力端子領域２４が設けられている（この出力端子は、表示領域の駆動に関係する機能を有する第１端子２０ａに含まない）。なお、第２領域２３には、第１端子が含まれていてもよいが、第１領域２２には第２端子は含まれていない。
【００４６】
図２は、図１の液晶表示装置における端子領域の部分拡大図であって、図７（ｂ）の場合と同様の部分を示している。なお、図２では、図７（ｂ）の部材と同様の機能を有する部材には同様の番号を付している。
【００４７】
図２に示すように、表示駆動回路２０Ａの長辺側の第１領域２２には、配線２１によってＦＰＣ３０Ａの端子３０ａと電気的に接続される表示駆動回路２０Ａの第１端子２０ａが設けられており、また、表示駆動回路２０Ａの短辺側の第２領域２３には、テスト端子などのようにＦＰＣ３０Ａから信号が入出力されない第２端子２０ｂが配置されている。なお、配線２１は表示駆動回路２０Ａ側ではなくＦＰＣ３０Ａ側に含める。
【００４８】
図３は、本実施形態１の液晶表示装置において、表示駆動に関係する機能を有さない第２端子２０ｂを短辺側に配置したことにより、ＦＰＣ３０ＡのＤＵＭＭＹ端子３０ｂを削減すると共に良好な配線領域を確保することができる状況について説明するための図であって、（ａ）は従来の液晶表示装置の端子領域を示す上面図であり、（ｂ）は本実施形態１の液晶表示装置の端子領域を示す上面図である。
【００４９】
図３（ａ）では、従来の液晶表示装置のように、表示駆動に関係する機能を有する第１端子（ドライバ入力端子）２０ａと、テスト端子などの駆動に関係する機能を有さない第２端子２０ｂ（ＦＰＣ入出力不要端子群）とが表示駆動回路２０Ａの長辺近傍位置に配置されている。図３（ａ）の従来の場合には、表示駆動回路２０Ａの端子２０ａとＦＰＣ３０Ａの端子３０ａとを接続するための各配線２１の配線領域を確保するために、ＦＰＣ３０Ａの端子３０ａ，３０ａ間にＤＵＭＭＹ端子３０ｂが設けられている。
【００５０】
これに対して、図３（ｂ）では、本実施形態１の液晶表示装置１Ａのように、表示駆動に関係する機能を有する第１端子２０ａが表示駆動回路２０Ａの長辺近傍位置に長辺方向に沿って配置され、テスト端子などの表示駆動に関係する機能を有さない第２端子２０ｂは表示駆動回路２０Ａの短辺近傍位置に短辺方向に沿って配置されている。この場合、第１端子２０ａと第２端子２０ｂとが同じ領域（第１領域２２）に存在していないため、ＦＰＣ３０ＡにＤＵＭＭＹ端子３０ｂを設けなくても、表示駆動回路２０Ａの端子２０ａとＦＰＣ３０Ａの端子３０ａとを接続するための各配線２１の配線領域を確保して、良好な配線２１を形成することができる。
【００５１】
以上のように、本実施形態１の液晶表示装置１Ａによれば、図７に示す従来の液晶表示装置１のように、表示駆動回路２０にテスト端子などの信号入出力が必要とされない第２端子２０ｂが設けられている領域Ｃが短辺側に配置され、第２端子２０ｂは長辺側には存在していないため、表示駆動回路（ドライバ）２０Ａのドライバ外形Ｂを縮小化することができる。
【００５２】
また、図７に示す従来の液晶表示装置１のように、表示駆動回路２０の端子２０ａとＦＰＣ３０の端子３０ａとを接続する各配線２１を設ける領域を確保するために、ＦＰＣ３０ＡにＤＵＭＭＹ（ダミー）端子の第２端子２０ｂが配置されたＤＵＭＭＹ端子配置領域Ｄを形成する必要がないため、ＦＰＣ３０Ａの外形Ａをより縮小化できる。
【００５３】
このように、表示駆動回路２０Ａの外形ＢおよびＦＰＣ３０Ａの外形Ａを縮小化させることができるため、液晶表示装置１Ａの小型化を図ることができる。
【００５４】
さらに、図７に示す従来の液晶表示装置１のようにＤＵＭＭＹ端子の第２端子２０ｂを設けなくても、表示駆動回路２０Ａの端子２０ａとＦＰＣ３０Ａの端子３０ａとを接続するための配線領域を確保して、良好な配線２１を形成できる。
【００５５】
さらに、図１に示すように、表示駆動に関係する機能を有さない第２端子２０ｂが配置される第２領域２３が表示駆動回路２０Ａの両側の短辺近傍位置に短辺方向に沿って設けられているため、良好な実装状態を得ることができる。
【００５６】
さらに、第１領域２２には表示駆動に関係する機能を有さない第２端子２０ｂが設けられていないため、第１端子２０ａとＦＰＣ３０Ａの端子３０ａとを接続する各配線２１を短くすることができる。したがって、配線２１として、表示領域に設けられるトランジスタの一部を構成するＴａ膜をパターニングしたものを用いた場合でも、配線抵抗が小さい良好な配線２１を形成することができる。
【００５７】
なお、本実施形態１では、図１に示すように表示駆動に関係する機能を有さない第２端子２０ｂが設けらた第２領域２３が回路両側の短辺近傍位置に短辺方向に沿ってそれぞれ配置されるように構成したが、これに限らず、この第２領域２３が回路の左右いずれかの片側の短辺近傍位置に短辺方向に沿って配置されるように構成することもできる。
（実施形態２）
図４は、本発明の液晶表示装置の実施形態２における端子領域を示す上面図である。なお、ここでは、図７（ａ）の部材と同様の機能を有する部材には同様の番号を付して説明する。
【００５８】
図４に示すように、本実施形態２の液晶表示装置１Ｂは、液晶層を挟んで対向配置される一対の基板１０ａおよび１０ｂのうち、一方の基板１０ａの外周縁部（ここでは下側部）に表示駆動回路２０Ｂ（ドライバ）がＣＯＧ実装されており、その基板１０ａの下端縁部に表示駆動回路２０Ｂに信号を入出力させるためのＦＰＣ３０Ａが接続されている。
【００５９】
表示駆動回路２０Ｂは、回路外形（ＩＣチップの平面視外形）が長方形状であって、そのＦＰＣ３０Ａ側の外周縁近傍の長辺近傍位置に２列に端子が配置されている。ＦＰＣ３０Ａ側から一列目の領域には、表示領域の駆動に関係する機能を有する複数の第１端子２０ａが配置された第１領域２２が設けられている。その２列目として、第１領域２２よりも表示駆動回路２０Ｂの中心側には、表示領域の駆動に関係する機能を有さない複数の第２端子２０ｂが配置された第２領域２３Ｂが設けられている。さらに、表示駆動回路２０Ｂの表示領域側の長辺近傍位置には、表示領域に信号を出力させる出力端子が配置された出力端子領域２４が設けられている（この出力端子は、表示領域の駆動に関係する機能を有する第１端子２０ａに含まない）。なお、第２領域２３Ｂには、第１端子２０ａが含まれていてもよいが、第１領域２２には、第２端子２０ｂは含まれていない。
【００６０】
図５は、図４の液晶表示装置１Ｂにおける端子領域の部分拡大図であって、図７（ｂ）の場合と同様の部分を示している。なお、図５では、図７（ｂ）の部材と同様の機能を有する部材には同様の番号を付している。
【００６１】
図５に示すように、表示駆動回路２０Ｂの長辺側の第１領域２２には、配線２１によってＦＰＣ３０Ａの端子３０ａと電気的にそれぞれ接続される端子２０ａが設けられており、第２領域２３Ｂには、テスト端子などの第２端子２０ｂのようにＦＰＣ３０Ａから信号が入出力されない端子が配置されている。
【００６２】
以上のように構成された本実施形態２の液晶表示装置１Ｂによれば、表示駆動に関係する機能を有する第１端子２０ａが外周縁近傍の第１領域２２に配置され、テスト端子などの駆動に関係する機能を有さない複数の第２端子２０ｂが第１領域２２よりも表示駆動回路２０Ｂの中心側の第２領域２３Ｂに配置されている。
【００６３】
この場合、第１端子２０ａと第２端子２０ｂとが同じ領域に存在していないため、図７に示す従来の液晶表示装置１のように、ＦＰＣ３０にＤＵＭＭＹ端子３０ｂを設けなくても、表示駆動回路２０Ｂの端子２０ａとＦＰＣ３０Ａの端子３０ａとを接続するための各配線２１の配線領域を確保して、良好な配線２１を形成することができる。
【００６４】
したがって、本実施形態２の液晶表示装置１Ｂによれば、図７に示す従来の液晶表示装置のように、表示駆動回路２０の端子２０ａとＦＰＣ３０の端子３０ａとを接続させる各配線２１を設ける領域を確保するために、ＦＰＣ３０ＡにＤＵＭＭＹ（ダミー）端子の第２端子２０ｂが配置されたＤＵＭＭＹ端子配置領域Ｄを形成する必要がないため、ＦＰＣ３０Ａの外形Ａを縮小化させることができる。
【００６５】
また、本実施形態２の液晶表示装置１Ｂによれば、図７に示す従来の液晶表示装置１のように、表示駆動回路２０にテスト端子などの信号入出力が必要とされない第２端子２０ｂが設けられている領域Ｃが、第１端子２０ａが設けられている第１領域２２よりも表示駆動回路２０Ｂの中心側に配置されているため、表示駆動回路２０Ｂ（ドライバ）の外形Ｂを縮小化させることができる。
【００６６】
このように、表示駆動回路２０Ｂの外形ＢおよびＦＰＣ３０Ａの外形Ａを共に縮小化できるため、液晶表示装置１Ｂを小型化できる。
【００６７】
さらに、本実施形態２の液晶表示装置１Ｂによれば、第１領域２２には表示駆動に関係する機能を有さない第２端子２０ｂが設けられていないため、第１領域２２の端子２０ａとＦＰＣ３０Ａの端子３０ａとを接続する各配線２１をより短くすることができる。したがって、配線２１として、表示領域に設けられるトランジスタの一部を構成するＴａ膜をパターニングしたものを用いた場合でも、配線抵抗が小さい良好な各配線２１をそれぞれ形成することができる。
（実施形態３）
図６は、本発明の液晶表示装置の実施形態３における端子領域を示す上面図である。なお、ここでは、図７（ａ）の部材と同様の機能を有する部材には同様の番号を付して説明する。
【００６８】
図６に示すように、本実施形態３の液晶表示装置１Ｃは、上記実施形態１，２の場合と同様に、液晶層を挟んで対向配置される一対の基板１０ａおよび１０ｂのうち、一方の基板１０ａの外周縁部（ここでは下側部）に表示駆動回路２０Ｃ（ドライバ）がＣＯＧ実装されており、その基板１０ａの下端縁部に表示駆動回路２０Ｃに信号を入出力させるためのＦＰＣ３０Ｃが接続されている。
【００６９】
表示駆動回路２０Ｃは、回路外形（ＩＣチップの平面視外形）が長方形状であって、そのＦＰＣ３０Ｃ側の長辺近傍位置に、長辺方向に沿って、表示領域の駆動に関係する機能を有する複数の第１端子２０ａが配置された第１領域２２Ｃと、表示領域の駆動に関係する機能を有さない複数の第２端子２０ｂが配置された第２領域２３Ｃとが隣接して設けられている。また、表示駆動回路２０Ｃの表示領域側の長辺近傍位置には、長辺方向に沿って、表示領域に信号を出力させる出力端子が配置された出力端子領域２４が設けられている（この出力端子は、表示領域の駆動に関係する機能を有する第１端子２０ａに含まない）。第１領域２２Ｃには、配線２１によってＦＰＣ３０Ｃの端子３０ａと電気的に接続される端子２０ａが設けられており、第２領域２３Ｃには、テスト端子などのようにＦＰＣ３０Ｃから信号が入出力されない第２端子２０ｂが配置されている。なお、第２領域２３Ｃには、第１端子２０ａが含まれていてもよいが、第１領域２２Ｃには、第２端子２０ｂは含まれていない。
【００７０】
以上のように、本実施形態３の液晶表示装置１Ｃによれば、表示駆動に関係する機能を有する第１端子２０ａが外周縁近傍（ここでは下側部）の第１領域２２Ｃに配置され、テスト端子などの駆動に関係する機能を有さない複数の第２端子２０ｂが第１領域２２Ｃに隣接する第２領域２３Ｃに一列に配置されている。
【００７１】
この場合、第１端子２０ａと第２端子２０ｂとが同じ領域に存在していないため、図７に示す従来の液晶表示装置１のように、ＦＰＣ３０にＤＵＭＭＹ端子３０ｂを設けなくても、表示駆動回路２０の第１端子２０ａとＦＰＣ３０の端子３０ａとを接続するための配線２１の配線領域を確保できて、良好な配線２１を形成することができる。
【００７２】
したがって、本実施形態３の液晶表示装置１Ｃによれば、図７に示す従来の液晶表示装置１のように、表示駆動回路２０Ｃの第１端子２０ａとＦＰＣ３０の端子３０ａとを接続する各配線２１を設ける領域を確保するために、ＦＰＣ３０Ｃに、ＤＵＭＭＹ（ダミー）端子２０ｂが配置されたＤＵＭＭＹ端子配置領域Ｄを形成する必要がないため、ＦＰＣ３０Ｃの外形Ａを縮小できる。
【００７３】
このように、ＦＰＣ３０Ｃの外形Ａを縮小化できるため、液晶表示装置１Ｃの小型化を図ることができる。
【００７４】
さらに、第１領域２２Ｃには表示駆動に関係する機能を有さない第２端子２０ｂが設けられていないため、第１端子２０ａとＦＰＣ３０Ｃの端子３０ａとを接続する各配線２１をより短くすることができる。したがって、配線２１として、表示領域に設けられるトランジスタの一部を構成するＴａ膜をパターニングしたものを用いた場合でも、配線抵抗が小さい良好な配線２１を形成することができる。
【００７５】
なお、本実施形態３では、第２領域２３Ｃは、回路長辺側近傍位置に長辺方向に沿って配置された第１領域２２Ｃの左側の片端位置に隣接して一列に配置されるように構成したが、これに限らず、第１領域２２Ｃを表示駆動回路２０Ｃの長辺近傍位置の中央部に配置して、両第２領域２３Ｃを表示駆動回路２０Ｃの長辺近傍位置の左右の両端部側にそれぞれ配置して、両側の各第２領域２３Ｃが中央の第１領域２２Ｃにそれぞれ隣接して一列に配置することによっても、さらに配線を短くすることができる。
【００７６】
以上により、上記実施形態１〜３によれば、表示駆動に関係する機能を有する複数の第１端子２０ａが表示駆動回路２０Ａ〜２０Ｃの長辺近傍位置で長辺方向に沿って第１領域２２または２２Ｃに配置され、テスト端子などのように表示駆動に関係する機能を有さない複数の第２端子２０ｂをそれ以外の短辺近傍位置や、第１領域に回路中央側または左右側に隣接する位置などに配置する。第１領域２２または２２Ｃには第２端子２０ｂが設けられていないため、ＦＰＣ３０Ａまたは３０ＣにＤＵＭＭＹ端子３０ｂを設けなくても、第１端子２０ａとＦＰＣ３０Ａまたは３０Ｃの端子３０ａとを接続するための配線領域を確保して良好な配線２１をそれぞれ形成することができる。このように、ＦＰＣ３０Ａまたは３０ＣにＤＵＭＭＹ端子３０ｂを設けなくてもよいため、ＦＰＣ３０Ａまたは３０Ｃの外形を小型化することが可能となり、第２端子２０ｂを第１端子２０ａが配置される第１領域２２または２２Ｃとは異なる第２領域２３，２３Ｂまたは２３Ｃに配置することによって、表示駆動回路２０Ａ，２０Ｂまたは２０Ｃの外形を小型化させることができる。要するに、第１領域を分割してその間に第２領域を介在させないことが重要である。これによって、表示駆動回路２０Ａ，２０Ｂまたは２０Ｃの端子２０ａとＦＰＣ３０Ａの端子３０ａ間を接続する配線領域を確保して良好な配線２１をそれぞれ形成すると共に液晶表示装置１Ａ〜１Ｃなどの表示装置の小型化を図ることができる。
【００７７】
以上のように、本発明の好ましい実施形態１〜３を用いて本発明を例示してきたが、本発明は、この実施形態１〜３に限定して解釈されるべきものではない。本発明は、特許請求の範囲によってのみその範囲が解釈されるべきであることが理解される。当業者は、本発明の具体的な好ましい実施形態１〜３の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００７８】
本発明は、多機能化に伴って信号の入出力が必要とされる入出力端子数が多くなり、入出力端子が高密度化される傾向にある例えば携帯電話装置の表示部などに用いられる小型の液晶表示装置などの表示装置、およびこの表示装置の表示領域を表示駆動するために表示装置を構成するガラス基板上にＣＯＧ（チップ・オン・グラス）実装される表示駆動回路の分野において、表示駆動に関係する機能を有さない第２端子を、表示駆動に関係する機能を有する第１端子が配置される第１領域とは異なる第２領域に配置することによって、ＦＰＣにＤＵＭＭＹ端子を設けなくても、表示駆動回路の第１端子とＦＰＣの端子とを接続するための配線領域を確保して良好な配線を形成すると共に、ＦＰＣの外形を小型化させることが可能となる。また、第１領域と第２領域とを設けることにより、表示駆動回路の外形を小型化させることが可能となる。これにより、低コストで小型化された表示装置を実現することができ、携帯電話装置などの小型化が要求される携帯用情報機器に広く利用することができる。また、本発明によれば、第１領域では第２端子が設けられていないため、第１端子とＦＰＣの端子とを接続する配線を短くして、配線抵抗が小さい良好な配線を形成することができる。したがって、表示駆動回路がＣＯＧ実装された液晶表示装置に非常に有効である。
【図面の簡単な説明】
【００７９】
【図１】本発明の液晶表示装置の実施形態１における端子領域を示す上面図である。
【図２】図１の液晶表示装置における端子領域の部分拡大図である。
【図３】本実施形態１の液晶表示装置において、表示駆動に関係する機能を有さない第２端子を短辺側に配置したことにより、ＦＰＣのＤＵＭＭＹ端子を削減すると共に良好な配線領域を確保することができる状況について説明するための図であって、（ａ）は従来の液晶表示装置の端子領域を示す上面図であり、（ｂ）は本実施形態１の液晶表示装置の端子領域を示す上面図である。
【図４】本発明の液晶表示装置の実施形態２における端子領域を示す上面図である。
【図５】図４の液晶表示装置における端子領域の部分拡大図である。
【図６】本発明の液晶表示装置の実施形態３における端子領域を示す上面図である。
【図７】（ａ）は、従来の液晶表示装置の概略構成例を示す上面図であり、（ｂ）は、（ａ）に丸で囲んだ部分の拡大図である。
【符号の説明】
【００８０】
１Ａ〜１Ｃ 液晶表示装置
２０Ａ〜２０Ｃ 表示駆動回路
２０ａ 表示領域の駆動に関係する機能を有する第１端子
２０ｂ 表示領域の駆動に関係する機能を有しない第２端子（テスト端子）
２０ｃ 表示駆動回路のＤＵＭＭＹ端子
２１ 表示駆動回路の第１端子２０ａとＦＰＣの端子３０ａとを接続した配線
２２，２２Ｃ 第１端子２０ａが配置される第１領域
２３，２３Ｂ，２３Ｃ 第２端子２０ｂが配置される第２領域
２４ 出力端子領域
３０Ａ，３０Ｃ ＦＰＣ
３０ａ 表示駆動回路に接続されるＦＰＣの端子
３０ｂ ＦＰＣのＤＵＭＭＹ端子
【図１】
2006106132.tif 000003
【図２】
2006106132.tif 000004
【図３】
2006106132.tif 000005
【図４】
2006106132.tif 000006
【図５】
2006106132.tif 000007
【図６】
2006106132.tif 000008
【図７】
2006106132.tif 000009